(57)【要約】【課題】施工が容易で、施工中および施行後における掘削面の崩壊や基礎の沈下のおそれがなく、掘削土の処理コストを削減できる床下展示空間およびその施工方法を提供する。【解決手段】床下展示空間は、掘削面１０１、地表面１２１、基礎１０２および住宅の一階の床１０３に囲まれた空間である。掘削面１０１、地表面１２１および基礎１０２の床下展示空間側となる面にはショットクリート１０９が吹付けられている。剪断面Ｓは、基礎１０２のフーチングの下端辺から地盤の剪断抵抗角φ方向に延びる面であり、掘削面１０１は剪断面Ｓの上方に形成されるので、基礎１０２の荷重による影響を受けない。したがって掘削面１０１が崩壊したり、基礎１０２が沈下したりするおそれがない。また、床下展示空間の場所に元来あった掘削土１１０は、住宅の他の基礎１２２に囲まれる床下領域１２３に盛り替えられている。【選択図】        図２
2004225398.tif 000002
【特許請求の範囲】
【請求項１】
住宅の基礎に囲まれる一階の床下から地下にかけて、前記基礎の下端辺から地盤の剪断抵抗角で下方に延びる剪断面の上方に位置するように形成されることを特徴とする床下展示空間。
【請求項２】
住宅の基礎に囲まれる一階の床下から地下にかけて、前記基礎の下端辺から地盤の剪断抵抗角で下方に延びる剪断面の上方にある地盤を段状に掘削して形成される掘削面を有し、
前記掘削面は仕上を施されていることを特徴とする床下展示空間。
【請求項３】
前記地盤は改良されていることを特徴とする請求項１または請求項２に記載の床下展示空間。
【請求項４】
住宅の基礎に囲まれる一階の床下から地下にかけて形成される床下展示空間の施工方法であって、
前記基礎の下端辺から地盤の剪断抵抗角で下方に延びる剪断面の上方にある地盤を掘削し、掘削面を形成する掘削工程と、
前記掘削面に囲まれる空間に展示手段を造作する造作工程と、
を含むことを特徴とする床下展示空間の施工方法。
【請求項５】
前記掘削工程の後工程として、前記掘削面に仕上を施す仕上工程を含むことを特徴とする請求項４に記載の床下展示空間の施工方法。
【請求項６】
住宅の基礎に囲まれる一階の床下から地下にかけて形成される床下展示空間の施工方法であって、
前記基礎の下端辺から地盤の剪断抵抗角で下方に延びる剪断面の上方にある地盤を段状に掘削し、掘削面を形成する掘削工程と、
前記掘削面に仕上を施す仕上工程と、
を含むことを特徴とする床下展示空間の施工方法。
【請求項７】
前記掘削工程の前工程として、前記地盤を改良する地盤改良工程を含むことを特徴とする請求項４から請求項６のいずれか一項に記載の床下展示空間の施工方法。
【請求項８】
前記掘削工程で発生した掘削土を前記住宅の他の基礎に囲まれる床下領域に盛り替える掘削土盛替工程を含むことを特徴とする請求項４から請求項７のいずれか一項に記載の床下展示空間の施工方法。
【発明の詳細な説明】
【０００１】
【発明の属する技術分野】
本発明は、住宅の床下から地下にかけて形成される床下展示空間およびその施工方法に関する。
【０００２】
【従来の技術】
住宅の床下収納において、その施工コストは主に地盤の掘削量によって決まっている。そこで、地盤の掘削量を減少しながら収納スペースを確保した床下収納が開示されている（例えば、特許文献１参照。）。図１４は、特許文献１に記載の床下収納室を示す鉛直断面図である。床下収納室は、通路空間Ａ、大収納空間Ｂおよび小収納空間Ｃにより構成される。通路空間ＡはＦＲＰ（繊維強化プラスチック）タンク９０１の下部をワイヤーメッシュ入りコンクリート９０５ａに埋め込む形で形成されている。床下収納室の天井となる住宅の一階の床９０２には、開閉自在の出入口９０３があり、そこから梯子９０４を利用して昇降を行う。各収納空間Ｂ・Ｃの水平面および壁面にはワイヤーメッシュ入りコンクリート９０５ｂ・９０５ｃ・９０５ｄが打設されており、収納室の水平面の下部や、基礎９０６の下部にはそれぞれ栗石９０７ａ・９０７ｂ・９０７ｃ・９０７ｄが敷き込まれている。また、ワイヤーメッシュ入りコンクリート９０５ｂの上面にはモルタル９０８が塗られ、内側に向かって下がるように水勾配が形成されている。
【０００３】
続いて、特許文献１における［考案の実施の形態］の記載をもとに推測される、床下収納室の施工方法について図を参照しながら説明する。図１５は特許文献１に記載の床下収納室の施工方法を説明する図であり、（ａ）は通路空間掘削工程Ｓ９１を示す鉛直断面図、（ｂ）はＦＲＰタンク設置工程Ｓ９２を示す鉛直断面図、（ｃ）はコンクリート打設工程Ｓ９３を示す鉛直断面図、（ｄ）は埋め戻し工程Ｓ９４を示す鉛直断面図、（ｅ）は収納空間掘削工程Ｓ９５を示す鉛直断面図、（ｆ）はコンクリート打設工程Ｓ９６を示す鉛直断面図、（ｇ）はコンクリート打設工程Ｓ９６の終了状態を示す鉛直断面図である。
【０００４】
（Ｓ９１）  通路空間掘削工程
まず、地盤を掘削して掘削面Ｄ・Ｅを形成し、ＦＲＰタンク９０１を設置可能な状態とする（図１５（ａ））。
【０００５】
（Ｓ９２）  ＦＲＰタンク設置工程
続いて、掘削面Ｄに栗石９０７ａを敷き込み、その上にワイヤーメッシュ９０９ａを配置し、型枠９１０ａを建て込む。その後ワイヤーメッシュ９０９ａの上にＦＲＰタンク９０１を設置する（図１５（ｂ））。
【０００６】
（Ｓ９３）  コンクリート打設工程
続いて、型枠９１０ａ内にコンクリートを流し込み、ワイヤーメッシュ入りコンクリート９０５ａを打設する。ＦＲＰタンク９０１の下部はワイヤーメッシュ入りコンクリート９０５ａに埋め込まれた状態となる。コンクリートの固化後、型枠９１０ａを撤去する（図１５（ｃ））。
【０００７】
（Ｓ９４）  埋め戻し工程
続いて、ＦＲＰタンク９０１の外周部に土を埋め戻す（図１５（ｄ））。
【０００８】
（Ｓ９５）  収納空間掘削工程
続いて、地盤を段々状に掘削し、掘削面Ｆ・Ｇ・Ｈを形成する（図１５（ｅ））。掘削面Ｆは、埋め戻し工程Ｓ９４で埋め戻された部分から連続する水平面である。本工程での掘削は、大収納空間Ｂはモルタル９０８がＦＲＰタンク９０１の開口部の高さになるように、そして小収納空間Ｃはワイヤーメッシュ入りコンクリート９０５ｄが地表よりやや高い位置になるように行われる。
【０００９】
（Ｓ９６）  コンクリート打設工程
続いて、掘削面Ｆ・Ｈに栗石９０７ｂ・９０７ｃを敷き込み、その上にワイヤーメッシュ９０９ｂ・９０９ｄを、掘削面Ｇの内側にワイヤーメッシュ９０９ｃを配置し、さらに型枠９１０ｂを建て込む（図１５（ｆ））。その後掘削面Ｆ・Ｈの上面や、掘削面Ｇと型枠９１０ｂの間にコンクリートを流し込み、段々状のワイヤーメッシュ入りコンクリート９０５ｂ・９０５ｃ・９０５ｄを打設する。コンクリートの固化後、型枠９１０ｂを撤去する（図１５（ｇ））。
【００１０】
上述した各工程の終了後、ワイヤーメッシュ入りコンクリート９０５ｂの上部にモルタル９０８を、外側から内側へ傾斜した水勾配となるように塗る。また、上述した各工程の他に、住宅の基礎９０６を施工する基礎施工工程や床下収納室に防水加工を施工する防水工程等が適宜組み込まれる。そして、梯子９０４の設置等が行われ、最終的に図１４の状態となる。なお、上述した説明では基礎施工工程は通路空間掘削工程Ｓ９１の前に行われていると仮定しているが、基礎９０６のフーチングの上部に栗石９０７ｃが敷き込まれていることから、基礎施工工程は少なくともコンクリート打設工程Ｓ９６より前に行われるものと考えられる。
【００１１】
【特許文献１】
登録実用新案第３０６９４４１号公報（第３図、［０００６］〜［００１３］）
【００１２】
【発明が解決しようとする課題】
しかしながら、特許文献１に記載の床下収納室には、以下に示す問題があった。
（１）  施工工程の流れを簡単に表すと、掘削（Ｓ９１）→ＦＲＰタンク設置（Ｓ９２）→コンクリート打設（Ｓ９３）→埋め戻し（Ｓ９４）→掘削（Ｓ９５）→コンクリート打設（Ｓ９６）となる。つまり掘削がＳ９１・Ｓ９５、コンクリート打設がＳ９３・Ｓ９６とそれぞれ二工程ずつに分かれており、このことが作業の煩雑化をまねいている。
（２）  床下収納室の施工中に掘削面Ｅ・Ｇが崩壊したり、基礎９０６が沈下したりするおそれがある。また、施工後においてもワイヤーメッシュ入りコンクリート９０５ｃが崩壊したり、基礎９０６が沈下したりするおそれがある。
（３）  床下収納室を形成する際に発生する掘削土の処理が必要であり、そのためのコストがかさむ。
（４）  床下収納室の掘削面Ｄ・Ｆ・Ｈや基礎９０６の下部に栗石９０７ａ・９０７ｂ・９０７ｃ・９０７ｄを敷き込んだり、コンクリートの強度を増すためにワイヤーメッシュ９０９ａ・９０９ｂ・９０９ｃ・９０９ｄを配置したり、コンクリートを打設するために型枠９１０ａ・９１０ｂを建て込んだり解体したりする作業が必要であり、作業の手間やコストがかかる。
（５）  通路空間ＡはＦＲＰタンク９０１によって形成されるため、その分のコストが必要となる。またＦＲＰタンク９０１の外周部に土を埋め戻す作業が必要であり、作業の煩雑化をまねいている。
【００１３】
そこで本発明は、上述した問題点に鑑みて創案されたものであり、施工が容易で、施工中および施工後における掘削面の崩壊や基礎の沈下のおそれがなく、掘削土の処理コストを削減できる床下展示空間およびその施工方法を提供することを課題とする。
【００１４】
【課題を解決するための手段】
上述した課題を解決するために、請求項１に記載の床下展示空間は、住宅の基礎に囲まれる一階の床下から地下にかけて、前記基礎の下端辺から地盤の剪断抵抗角で下方に延びる剪断面の上方に位置するように形成される構成とした。
【００１５】
ここで、剪断抵抗角について説明する。図１３は剪断抵抗角の説明図であり、地盤の剪断面と土中に働く力の関係を示している。土中に働く垂直応力σと剪断強度τとの関係は、式（１）に示す直線式で示すことができる。ｃは、ここでは任意の定数（地盤の粘着力等により定まる）である。
τ  ＝  ｃ  ＋σ・ｔａｎφ        ・・・・（１）
【００１６】
この式で示される直線と横軸（σ方向）とのなす角φを剪断抵抗角という。この剪断抵抗角φは試験時の排水条件によって変化する。一般には土の内部摩擦角、安息角ともよばれる。この剪断抵抗角φは、剪断試験により測定される。地盤の剪断面がこの剪断抵抗角φよりも大きい角度を有する場合、剪断面は不安定となり、剪断破壊を生じるおそれがある。
【００１７】
なお、本発明の床下展示空間は、基礎に囲まれる領域に形成される。したがって、基礎の形式が布基礎あるいは独立基礎である場合に好適である。
【００１８】
本発明における「剪断面」は、基礎が布基礎である場合には、例えば図２（後述する）のようになる。床下展示空間（の掘削面）がこの剪断面の上方に位置しており、剪断面を越えないので、掘削面が基礎の荷重による影響を受けない。したがって、掘削面が崩壊したり、基礎が沈下したりするおそれがない。
【００１９】
本発明における床下展示空間の形状として、例えば「段状（後述する）」や「テーパ状」であるものが考えられる。ここでいう「テーパ状」とは、床下展示空間の掘削面が下方にいくに従い先細りとなる略錐形であることを指す（後述する図７参照。）。例として、略円錐形や略四角錐形等が挙げられる。
【００２０】
なお、床下展示空間の最下部に排水溝を形成し、その上部に取り外し可能な蓋を設置することにより、利用者が降り立つ通路面とすることが望ましい。この場合、排水溝も剪断面の上方に形成される。さらにこの通路面は、床下展示空間の略中央部分に形成されることが望ましい。この場合、仕上（後述する）および造作（後述する）により通路空間を取り囲むように収納スペースを形成できるので、デッドスペースが生じにくい。
【００２１】
本発明における「造作」とは、掘削面に囲まれる空間に木材等を用いて壁面や展示手段（後述する）等を形成することを指す。造作の種類によっては、仕上を省略することができる。
【００２２】
また、床下展示空間は、剪断面に内接する構成でもよい。その場合、内接点（あるいは内接線、内接面）の位置や数は特に限定されない。例えば、通路面の端部が剪断面に内接する構成にすれば、通路面の面積を大きくとることができ、利用者が降り立つのに好適である。
【００２３】
また、請求項２に記載の床下展示空間は、住宅の基礎に囲まれる一階の床下から地下にかけて、前記基礎の下端辺から地盤の剪断抵抗角で下方に延びる剪断面の上方にある地盤を段状に掘削して形成される掘削面を有し、前記掘削面は仕上を施されている構成とした。
【００２４】
本発明における「段状」とは、床下展示空間の鉛直断面が下方にいくに従い段階的に狭くなる形状であることを指す（後述する図２参照。）。この場合、掘削面に仕上（後述する）を施すことにより掘削面の段を利用した展示が可能であり、造作を不要とすることも可能である。また、床下展示空間の水平断面の形状は特に限定されず、正方形、長方形、円等であってもよい。また、段の数は地盤の剪断抵抗角の大きさや、利用者の要望等により適宜決められる。段の形状は非対称でもよい。また、最下段を排水溝とし、その上部に下から二番目の段と水平となる取り外し可能な蓋を取付け、その水平面を利用者が降り立つ通路面とすることが望ましい。
【００２５】
本発明における「仕上」とは、掘削面にコンクリートを吹付けたり、シートを貼り付けたりすることにより、掘削面の形状をそのまま生かした内装を施すことを指す。したがって、栗石、ワイヤーメッシュおよび型枠を不要とすることも可能である。さらに、地盤を改良している場合（後述する）や、元来地盤が十分な強度を有する場合等には、掘削面の表面を滑らかにするだけで仕上を済ませることも可能である。
【００２６】
また、請求項３に記載の床下展示空間は、請求項１または請求項２に記載の床下展示空間であって、前記地盤は改良されている構成とした。
【００２７】
このように地盤を改良することにより地盤の剪断抵抗角が大きくなるので、剪断面に囲まれる領域の容積が大きくなる。したがって、床下展示空間の形状の自由度が大きくなる。また、基礎の下部まで地盤を改良する場合には、基礎に敷き込む栗石を不要とすることも可能である。また、地盤改良により周囲の地盤の排水条件をよくすることができ、防湿性が高まる。したがって、防水加工を簡略化あるいは省略化できる。
【００２８】
また、末広がり方向に地盤を改良する場合には、改良地盤と未改良地盤の接面に地下水の通路が形成され、防湿性がさらに高まる。
【００２９】
また、請求項４に記載の床下展示空間の施工方法は、住宅の基礎に囲まれる一階の床下から地下にかけて形成される床下展示空間の施工方法であって、前記基礎の下端辺から地盤の剪断抵抗角で下方に延びる剪断面の上方にある地盤を掘削し、掘削面を形成する掘削工程と、前記掘削面に囲まれる空間に展示手段を造作する造作工程と、を含む構成とした。
【００３０】
本発明における「基礎」とは、「すでに施工された基礎」に限定されず、「基礎を施工する予定の部分」であってもよい。すなわち、基礎の施工と床下展示空間の施工との順番はどちらが先でもよいし、同時進行であってもよい。例えば、床下展示空間の施工を先に行う、あるいは同時進行の場合は、基礎のための掘削を掘削工程で行うことにより作業の効率化を図ることができる。また、住宅の増改築として本発明の床下展示空間を施工する場合には、基礎の施工を先に行っていることとなる。
【００３１】
このように構成することにより、地盤の剪断抵抗角方向の剪断面の上方を掘削するので、施工中あるいは施工後において、掘削面が基礎の荷重による影響を受けない。したがって、補強を必要とせずに、掘削面が崩壊したり、基礎が沈下したりするのを防ぐことができる。
【００３２】
また、造作工程により、床下展示空間の展示手段が造作され、展示可能な状態となる。
【００３３】
本発明における「展示手段」とは、床下展示空間に物を展示可能にするためのものであり、例えば棚や引出し等である。
【００３４】
また、請求項５に記載の床下展示空間の施工方法は、請求項４に記載の床下展示空間の施工方法であって、前記掘削工程の後工程として、前記掘削面に仕上を施す仕上工程を含む構成とした。
【００３５】
掘削面の一部あるいは全体を床下展示空間の通路面や壁面等として使用する場合には、掘削面に仕上を施すことが好ましい。ここで、仕上工程は、造作工程の前後どちらに行われてもよい。
【００３６】
仕上工程を先に行う場合には、以下に示す二例が考えられる。
（１）  掘削面全体に仕上を施す。
（２）  造作工程後に露出する予定の掘削面に仕上を施す。
【００３７】
造作工程を先に行う場合には、仕上工程では、造作工程終了後に露出した掘削面に仕上を施す。
【００３８】
また、請求項６に記載の床下展示空間の施工方法は、住宅の基礎に囲まれる一階の床下から地下にかけて形成される床下展示空間の施工方法であって、前記基礎の下端辺から地盤の剪断抵抗角で下方に延びる剪断面の上方にある地盤を段状に掘削し、掘削面を形成する掘削工程と、前記掘削面に仕上を施す仕上工程と、を含む構成とした。
【００３９】
このように構成することにより、掘削工程で形成された段状の掘削面をそのまま利用した展示が可能な床下展示空間を提供できる。したがって、造作工程を不要とすることも可能である。
【００４０】
また、請求項７に記載の床下展示空間の施工方法は、請求項４から請求項６のいずれか一項に記載の床下展示空間の施工方法であって、前記掘削工程の前工程として、前記住宅の地盤を改良する地盤改良工程を含む構成とした。
【００４１】
このように構成することにより、地盤改良工程において地盤を改良するので、地盤の剪断抵抗角が大きくなる。すなわち剪断面の傾斜が増し、掘削可能な領域が拡がるので、床下展示空間の形状の自由度が大きくなる。また、掘削工程において、地盤の強度が適度にあることになり、掘削面が崩壊しにくくなるので掘削が容易となる。また、周囲の地盤の排水条件がよくなるので、防湿性が高まり、防水加工を簡略化あるいは省略化できる。
【００４２】
また、請求項８に記載の床下展示空間の施工方法は、請求項４から請求項７のいずれか一項に記載の床下展示空間の施工方法であって、前記掘削工程で発生した掘削土を前記住宅の他の基礎に囲まれる床下領域に盛り替える掘削土盛替工程を含む構成とした。
【００４３】
このように構成することにより、住宅の敷地内で掘削土を処理できるので、掘削土の処理にかかるコストを省ける。
【００４４】
【発明の実施の形態】
次に、本発明の実施の形態について適宜図面を参照しながら説明する。なお、以下の説明において、同一要素には同一の符号を用い、重複する部分の説明は省略する。なお各実施形態は、水平な地盤面に施工される布基礎から剪断抵抗角４５度で延びる剪断面の上方に床下展示空間を施工する場合について説明しているが、これに限定されず適宜変更可能である。すなわち地盤の剪断抵抗角はその地盤毎に適宜測定して求められる。また、地盤面が傾斜を有する場合は、それに対応して施工されることとする。また基礎の形状は、布基礎ではなく独立基礎であってもよい。
【００４５】
（第一の実施形態）
図１は第一の実施形態に係る床下展示空間の斜視図であり、図２はその鉛直断面図である。床下展示空間は、掘削面１０１、地表面１２１、基礎１０２および住宅の一階の床１０３に囲まれた空間であり、梯子１０４、通路面１１１および排水溝１１２を有する。
【００４６】
剪断面Ｓは基礎１０２のフーチングの下端辺から、地盤の剪断抵抗角φ方向に延びている。基礎１０２が平面視略四角形状に配置された布基礎である場合には、剪断面Ｓは四角錐の側面となる。床下展示空間（の掘削面１０１）はこの剪断面Ｓの上方に形成される。
【００４７】
掘削面１０１は、下方より順に１０１ａ・１０１ｂ・１０１ｃ・１０１ｄ・１０１ｅ・１０１ｆ（後述する図４（ｂ）参照）と段状に形成されている。１０１ａ・１０１ｃ・１０１ｅが水平面、１０１ｂ・１０１ｄ・１０１ｆが鉛直面である。掘削面１０１ｃと蓋１０６で水平面を形成し、通路面１１１となる。
【００４８】
基礎１０２は、その下部に栗石１０８が敷き込まれている。
【００４９】
掘削面１０１、地表面１２１および基礎１０２の床下展示空間側となる面にはショットクリート１０９が吹付けられている。
【００５０】
一階の床１０３は出入口１０７を有し、そこから梯子１０４が通路面１１１に昇降可能に架設される。
【００５１】
排水溝１１２は掘削面１０１ａ・１０１ｂに囲まれる空間であり、Ｕ字溝１０５が設置されている。その上部にはグレーチングである蓋１０６が設置されている。
【００５２】
床下展示空間の場所に元来あった掘削土１１０は、住宅の他の基礎１２２に囲まれる床下領域１２３に盛り替えられている。
【００５３】
利用者は梯子１０４を利用して一階から床下展示空間の通路面１１１に降り立ち、掘削面１０１および地表面１２１を利用して展示を行う（図２）。また、通路面１１１から一階の床１０３までの高さが十分でない場合等には、蓋１０６を取り外し、排水溝１１２に降り立つこともできる（図３）。
【００５４】
第一の実施形態に係る床下展示空間によると、床下展示空間の掘削面１０１は剪断面Ｓの上方にあるので、基礎１０２の荷重による影響を受けない。したがって掘削面１０１が崩壊したり、基礎１０２が沈下したりするおそれがない。また掘削面１０１が段状に形成されているので、その段を利用した展示が可能である。また排水溝１１２を有するので、床下展示空間に浸入した地下水を排出できる。また蓋１０６を取り外し、排水溝１１２に降り立って展示を行うこともできる。
【００５５】
続いて、第一の実施形態に係る床下展示空間の施工方法について説明する。図４は第一の実施形態に係る床下展示空間の施工方法を説明する図であり、（ａ）は測定工程Ｓ１１を示す鉛直断面図、（ｂ）は掘削工程Ｓ１２を示す鉛直断面図、（ｃ）は基礎施工工程Ｓ１３を示す鉛直断面図、（ｄ）は掘削土盛替工程Ｓ１４を示す鉛直断面図、（ｅ）は仕上工程Ｓ１５を示す鉛直断面図である。
【００５６】
（Ｓ１１）  測定工程
剪断試験等により地盤の剪断抵抗角φを測定する。この測定された剪断抵抗角φと、住宅の基礎の形状により、剪断面Ｓが決まる。この剪断面Ｓの上方となるよう、床下展示空間の掘削面１０１の形状を決定する（図４（ａ））。
【００５７】
（Ｓ１２）  掘削工程
測定工程Ｓ１１で決定された掘削面１０１の形状にしたがい、地盤を掘削し、掘削面１０１（１０１ａ〜１０１ｆ）を形成する。また、基礎１０２や他の基礎１２２のための掘削も行う（図４（ｂ））。
【００５８】
（Ｓ１３）  基礎施工工程
栗石１０８を敷き込み、その上に基礎１０２を施工する。また、他の基礎１２２も施工する（図４（ｃ））。
【００５９】
なお、基礎施工工程Ｓ１３（および後述する各実施形態における基礎施工工程）は、この順番でなくともよく、例えば住宅の増改築として床下展示空間を施工する場合には、測定工程Ｓ１１の前に行われていることになる。
【００６０】
（Ｓ１４）  掘削土盛替工程
掘削工程Ｓ１２で発生した掘削土１１０を、他の基礎１２２に囲まれる床下領域１２３に盛り替える（図４（ｄ））。
【００６１】
なお、掘削土盛替工程Ｓ１４（および後述する各実施形態における掘削土盛替工程）は、基礎施工工程の後であれば、この順番でなくともよい。また、掘削土１１０を他の方法で処理する場合には省略可能である。
【００６２】
（Ｓ１５）  仕上工程
掘削面１０１、地表面１２１および基礎１０２の床下展示空間側となる部分にショットクリート１０９を吹付ける（図４（ｅ））。
【００６３】
その後、掘削面１０１ａ・１０１ｂに囲まれた空間にＵ字溝１０５を設置し、排水溝１１２を形成する。その上に蓋１０６を取付け、掘削面１０１ｃと蓋１０６からなる水平面である通路面１１１を形成する。また、住宅の施工や梯子１０４の架設等を経て、図２の状態となる。
なお、仕上工程Ｓ１５やＵ字溝１０５の設置は、住宅の施工等の終了後であってもよい。
【００６４】
第一の実施形態に係る床下展示空間の施工方法によると、各工程の流れがスムースになり、掘削が一度で済み、埋め戻しが不要である。また、型枠やワイヤーメッシュが不要となる。また、測定工程Ｓ１１で測定された剪断抵抗角φおよび剪断面Ｓに基づき掘削面１０１の形状を決めるので、掘削面１０１は基礎１０２の荷重による影響を受けず、施工中および施工後において掘削面１０１が崩壊したり基礎１０２が沈下したりするおそれがない。また、掘削面１０１を段状に形成するので、その段を利用した展示が可能である。よって造作のコストや手間を省くことが可能となる。また、掘削土盛替工程Ｓ１４で掘削土１１０を他の基礎１２２に囲まれる領域１２３に盛り替えるので、掘削土１１０を処理するコストが省ける。
【００６５】
（第二の実施形態）
図５は第二の実施形態に係る床下展示空間の鉛直断面図である。本実施形態では、さらに展示手段２１３が造作されている。ここでは、展示手段２１３ａ・２１３ｂはそれぞれ掘削面１０１ｅ、地表面１２１に吹付けられたショットクリート１０９と連続な水平面となる棚である。利用者は通路面１１１あるいは排水溝１１２に降り立ち、展示手段２１３を利用して物を展示することができる。なお、展示手段２１３（および後述する各展示手段）の形状・寸法・材質については適宜変更できる。
【００６６】
第二の実施形態に係る床下展示空間によると、展示手段２１３を造作しているので、第一の実施形態に係る床下展示空間と比較して、より利用者のニーズに合う展示が可能である。
【００６７】
続いて、第二の実施形態に係る床下展示空間の施工方法について説明する。本実施形態に係る床下展示空間の施工方法は、測定工程Ｓ２１、掘削工程Ｓ２２、基礎施工工程Ｓ２３、掘削土盛替工程Ｓ２４、仕上工程Ｓ２５および造作工程Ｓ２６からなる。図６は造作工程Ｓ２６を示す鉛直断面図である。測定工程Ｓ２１、掘削工程Ｓ２２、基礎施工工程Ｓ２３、掘削土盛替工程Ｓ２４および仕上工程Ｓ２５はそれぞれＳ１１〜１５と同様である。
【００６８】
（Ｓ２６）  造作工程
展示手段２１３を造作する（図６）。
【００６９】
第二の実施形態に係る床下展示空間の施工方法によると、造作工程Ｓ２６を有するので、第一の実施形態に係る床下展示空間の施工方法と比較して、より利用者のニーズに合う展示が可能となる床下展示空間を施工できるようになる。
【００７０】
（第三の実施形態）
図７は第三の実施形態に係る床下展示空間の鉛直断面図である。掘削面３０１に囲まれる空間に形成される床下展示空間は、造作通路面３１４、造作壁面３１５および展示手段３１３を有する。
【００７１】
掘削面３０１は、下方より順に、３０１ａ・３０１ｂ・３０１ｃ・３０１ｄ（後述する図８（ｂ）参照）と形成される。３０１ａ・３０１ｃは水平面、３０１ｂは鉛直面、３０１ｄはテーパ状の傾斜面である。
【００７２】
造作通路面３１４は掘削面３０１ｃの上に造作され、蓋１０６と連続し通路面３１１を形成する。また、造作壁面３１５は掘削面３０１ｄを覆い隠すように造作される。造作通路面３１４、造作壁面３１５および展示手段３１３の形状は掘削面３０１の形状によらないので、形状や内装の自由度が大きくなる。また、造作通路面３１４、造作壁面３１５および展示手段３１３により掘削面３０１ｃ・３０１ｄおよび地表面３２１は床下展示空間内からは触れられなくなるので仕上が不要である。
【００７３】
展示手段３１３は、通路面３１１を側方から取り囲むように形成されている。利用者は通路面３１１あるいは排水溝１１２に降り立ち、展示手段３１３を利用して物を展示することができる。
【００７４】
第三の実施形態に係る床下展示空間によると、展示手段３１３、造作通路面３１４、および造作壁面３１５により床下展示空間の内装が形成されるので、利用者のニーズ（展示の様式、意匠性、使い勝手のよさ等）に応えることができるようになる。また、仕上を省略化できる。
【００７５】
続いて、第三の実施形態に係る床下展示空間の施工方法について説明する。図８は第三の実施形態に係る床下展示空間の施工方法を説明する図であり、（ａ）は測定工程Ｓ３１を示す鉛直断面図、（ｂ）は掘削工程Ｓ３２を示す鉛直断面図、（ｃ）は基礎施工工程Ｓ３３を示す鉛直断面図、（ｄ）は掘削土盛替工程Ｓ３４を示す鉛直断面図、（ｅ）は造作工程Ｓ３５を示す鉛直断面図である。
【００７６】
測定工程Ｓ３１、掘削工程Ｓ３２、基礎施工工程Ｓ３３および掘削土盛替工程Ｓ３４における作業は、それぞれＳ１１〜Ｓ１４と同様である（ただし、掘削面３０１の形状が掘削面１０１と異なる。）。
【００７７】
（Ｓ３５  造作工程）
造作通路面３１４、造作壁面３１５および展示手段３１３を造作し、展示可能な状態とする（図８（ｅ））。展示手段３１３は通路面３１１を側方から取り囲むように造作される。
【００７８】
第三の実施形態に係る床下展示空間の施工方法によると、造作工程Ｓ３５を有するので、床下展示空間の形状や内装の自由度が大きくなる。
【００７９】
（第四の実施形態）
図９は第四の実施形態に係る床下展示空間の鉛直断面図である。床下展示空間の通路面および壁面となる掘削面３０１、地表面３２１および基礎１０２にはショットクリート４０９が吹付けられている。展示手段４１３は掘削面３０１ｄに造作されている。利用者は通路面４１１あるいは排水溝１１２に降り立ち、展示手段４１３を利用して物を展示することができる。
【００８０】
第四の実施形態に係る床下展示空間によると、仕上と造作を併用した内装を施すことになり、第三の実施形態と比較して、造作工事を減らすことができ、コストを省ける。
【００８１】
続いて、第四の実施形態に係る床下展示空間の施工方法について説明する。本実施形態に係る床下展示空間の施工方法は、測定工程Ｓ４１、掘削工程Ｓ４２、基礎施工工程Ｓ４３、掘削土盛替工程Ｓ４４、仕上工程Ｓ４５および造作工程Ｓ４６からなる。図１０は第四の実施形態に係る床下展示空間の施工方法を説明する図であり、（ａ）は仕上工程Ｓ４５を示す鉛直断面図、（ｂ）は造作工程Ｓ４６を示す鉛直断面図である。
【００８２】
測定工程Ｓ４１、掘削工程Ｓ４２、基礎施工工程Ｓ４３および掘削土盛替工程Ｓ４４は、それぞれＳ３１〜Ｓ３４と同様の動作を行う。
【００８３】
（Ｓ４５）  仕上工程
掘削面３０１、地表面３２１および基礎１０２にショットクリート４０９を吹付ける（図１０（ａ））。
【００８４】
（Ｓ４６）  造作工程
通路面３１１を側方から取り囲むように展示手段４１３を造作する（図１０（ｂ））。
【００８５】
第四の実施形態に係る床下展示空間の施工方法によると、仕上工程Ｓ４５を有するので、造作工程Ｓ４６における造作を簡略化できる。
【００８６】
第四の実施形態では、仕上工程Ｓ４５→造作工程Ｓ４６の順としたが、仕上を施す面積が狭い場合等には、造作工程Ｓ４６を先に行ってもよい。
【００８７】
第三・第四の実施形態では、掘削面がテーパ状に形成された床下展示空間を例にとって説明したが、これに限定されず、例えば段状であってもよい。
【００８８】
（第五の実施形態）
図１１は第五の実施形態に係る床下展示空間の改良地盤領域を示す鉛直断面図である。床下展示空間は改良地盤領域５１６に囲まれている。また、改良地盤領域５１６は基礎５０２の下方を含み、鉛直下方に延びている。改良地盤領域５１６は、強度が大きくなり、排水条件がよくなるよう改良されている。このように地盤を改良するので地盤の剪断抵抗角φ´が未改良地盤領域の剪断抵抗角φより大きくなり、剪断面Ｓ´に囲まれる領域の容積が大きくなる。したがって、第一の実施形態における掘削面１０１と比較して、掘削面５０１はより大きく形成することが可能となる。そのため、より大きい、あるいはより多くの物を展示することが可能となる。また、改良地盤領域５１６は十分な強度を有するので、基礎５０２の下方に栗石を敷き込んでいない。利用者は通路面５１１あるいは排水溝５１２に降り立ち、掘削面５０１および地表面５２１を利用して物を展示することができる。
【００８９】
第五の実施形態に係る床下展示空間によると、床下展示空間は改良地盤領域５１６に囲まれているので、剪断抵抗角φ´が大きくなり、剪断面Ｓ´に囲まれる領域の容積が大きくなっているので、床下展示空間の掘削面５０１の形状の自由度が大きくなっている。また、床下展示空間をより大きく形成することが可能となるので、より大きい、あるいはより多くの物を展示することが可能となる。また、基礎５０２の下方に敷き込まれる栗石を省略することも可能である。また、改良地盤領域５１６は水を通しにくくなっており、床下展示空間への地下水の浸入が防止され、防湿性が高まっている。
【００９０】
続いて、第五の実施形態に係る床下展示空間の施工方法について説明する。本実施形態に係る床下展示空間の施工方法は、地盤改良工程Ｓ５１、測定工程Ｓ５２、掘削工程Ｓ５３、基礎施工工程Ｓ５４、掘削土盛替工程Ｓ５５および仕上工程Ｓ５６からなる。ここで、Ｓ５２〜Ｓ５６は第一の実施形態におけるＳ１１〜Ｓ１５とほぼ同様の作業であり、第五の実施形態特有の作業や効果について、各ステップに分けて説明する。
【００９１】
（Ｓ５１）  地盤改良工程
基礎５０２部分を含み、床下展示空間の掘削面５０１を取り囲むようになる領域の地盤を改良し、改良地盤領域５１６を形成する。
【００９２】
（Ｓ５２）  測定工程
ここで測定される剪断抵抗角φ´は地盤を改良するので、地盤を改良しない場合より大きくなっている。したがって剪断面Ｓ´に囲まれる領域の容積が大きくなり、床下展示空間の掘削面５０１の形状の自由度が大きくなる。
【００９３】
（Ｓ５３）  掘削工程
改良地盤領域５１６は、未改良地盤領域５１７よりも強度があるので、掘削面５０１が崩壊しにくくなり、容易に掘削できる。
【００９４】
（Ｓ５４）  基礎施工工程
改良地盤領域５１６は十分な強度を有するので、栗石を敷き込まずに基礎５０２を施工できる。
【００９５】
（Ｓ５６）  仕上工程
ここではショットクリート５０９を吹付ける構成としたが、地盤の強度が大きくなっているので、掘削面５０１や地表面５２１をそのまま利用することも可能である。
【００９６】
（第六の実施形態）
図１２は第六の実施形態に係る床下展示空間の改良地盤領域を示す鉛直断面図である。床下展示空間は改良地盤領域６１６に取り囲まれている。また、改良地盤領域６１６は、基礎５０２の下部を含み、末広がり方向に拡がっている。利用者は通路面５１１あるいは排水溝５１２に降り立ち、掘削面５０１および地表面５２１を利用して物を展示することができる。
【００９７】
第六の実施形態に係る床下展示空間によると、改良地盤領域６１６は未改良地盤領域６１７より水を通しにくくなっているので、未改良地盤領域６１７の地盤面からしみ込んだ水（雨水等）は改良地盤領域６１６と未改良地盤領域６１７の接面６１８に沿って（図の矢印方向）地下深部へ浸入するようになる。したがって、床下展示空間の防湿性がさらに高まる。
【００９８】
第六の実施形態に係る床下展示空間の施工方法は、第五の実施形態と同様であり、説明は省略する。
【００９９】
第五・第六の実施形態において、第一の実施形態に係る床下展示空間にさらに地盤を改良する場合を例にとって説明したが、これに限定されず、例えば第二・第三・第四の実施形態に示すような、他の異なる形状の床下展示空間であってもよい。
【０１００】
各実施形態において、掘削面に水勾配を形成する等、排水のための加工を施されていてもよい。また、照明、コンセント、換気手段等、床下展示空間をより好適に使用するための機器が備えられてもよい。
【０１０１】
各実施形態において、床下展示空間の掘削面の形状は、剪断面の上方に形成される範囲内で適宜変更可能である。ここでは地表面を利用する構成としたが、これに限定されず、例えば基礎の下端辺から延びる水平な掘削面を有する構成でもよい。
【０１０２】
各実施形態において、床下展示空間の掘削面は、剪断面に内接する構成としたが、内接部の位置、数、形状はこれに限定されない。また、内接しない構成であってもよい。
【０１０３】
各実施形態において、Ｕ字溝および蓋から形成される排水溝を有する構成としたが、これに限定されず、例えば排水溝を有しない構成であってもよい。また、蓋の種類はグレーチングでなくてもよい。
【０１０４】
各実施形態において、展示手段は棚である構成としたが、これに限定されず、例えば引出し、ケース、吊下げ用フック、またはこれらの組合せ等であってもよい。
【０１０５】
各実施形態において、床下展示空間の仕上を、ショットクリートの吹付けによるものとしたが、これに限定されない。例えば、シートの貼付けによるものでもよいし、地盤が元来十分な強度を有する場合や、改良地盤に床下展示空間を形成する場合には、掘削面をそのまま使用してもよい。
【０１０６】
上述した各実施形態の床下展示空間は、地下部にあるので、温度の変化が少なく、長期間の展示に好適である。また、火災や地震等の災害時においても展示された物の焼失・損壊を防止できる。また、中二階や小屋裏等、住宅の上部にある従来の収納空間と比較して、移動・運搬が楽であり、大きな物あるいは重い物を展示するのに好適である。
【０１０７】
【発明の効果】
本発明によると、施工が容易で、施工中および施工後における掘削面の崩壊や基礎の沈下のおそれがなく、掘削土の処理コストを削減できる床下展示空間およびその施工方法を提供できる。
【図面の簡単な説明】
【図１】本発明の第一の実施形態に係る床下展示空間の斜視図である。
【図２】本発明の第一の実施形態に係る床下展示空間の鉛直断面図である。
【図３】本発明の第一の実施形態に係る床下展示空間の使用例を示す鉛直断面図である。
【図４】本発明の第一の実施形態に係る床下展示空間の施工方法を説明する図である。
【図５】本発明の第二の実施形態に係る床下展示空間の鉛直断面図である。
【図６】本発明の第二の実施形態に係る床下展示空間の施工方法における造作工程Ｓ２６を示す鉛直断面図である。
【図７】本発明の第三の実施形態に係る床下展示空間の鉛直断面図である。
【図８】本発明の第三の実施形態に係る床下展示空間の施工方法を説明する図である。
【図９】本発明の第四の実施形態に係る床下展示空間の鉛直断面図である。
【図１０】本発明の第四の実施形態に係る床下展示空間の施工方法を説明する図であり、（ａ）は仕上工程Ｓ４５を示す鉛直断面図、（ｂ）は造作工程Ｓ４６を示す鉛直断面図である。
【図１１】本発明の第五の実施形態に係る床下展示空間の改良地盤領域を示す鉛直断面図である。
【図１２】本発明の第六の実施形態に係る床下展示空間の改良地盤領域を示す鉛直断面図である。
【図１３】剪断抵抗角の説明図である。
【図１４】特許文献１に記載の床下収納室の鉛直断面図である。
【図１５】特許文献１に記載の床下収納室の施工方法を説明する図である。
【符号の説明】
１０１、３０１、５０１    掘削面
１０２、５０２    基礎
１０３    一階の床
１０４    梯子
１０５    Ｕ字溝
１０６    蓋
１０７    出入口
１０８    栗石
１０９、４０９、５０９    ショットクリート
１１０    掘削土
１１１、３１１、４１１    通路面
１１２    排水溝
１２１、３２１、５２１    地表面
１２２    他の基礎
１２３    他の基礎に囲まれる床下領域
２１３、３１３、４１３    展示手段
３１４    造作通路面
３１５    造作壁面
５１６、６１６    改良地盤領域
５１７、６１７    未改良地盤領域
６１８    接面
φ、φ´    剪断抵抗角
Ｓ、Ｓ´    剪断面
【図１】
2004225398.tif 000003
【図２】
2004225398.tif 000004
【図３】
2004225398.tif 000005
【図４】
2004225398.tif 000006
【図５】
2004225398.tif 000007
【図６】
2004225398.tif 000008
【図７】
2004225398.tif 000009
【図８】
2004225398.tif 000010
【図９】
2004225398.tif 000011
【図１０】
2004225398.tif 000012
【図１１】
2004225398.tif 000013
【図１２】
2004225398.tif 000014
【図１３】
2004225398.tif 000015
【図１４】
2004225398.tif 000016
【図１５】
2004225398.tif 000017